(57)【要約】フレキシブルディスプレイ装置（５０、５１）は不連続なフロントプレーン（６０、６４）と連続したバックプレーン（７０、７４）を採用している。前記不連続なフロントプレーン（６０、６４）は、第１のフロントプレーン領域（６１）と、第２のフロントプレーン領域（６３）と、フロントプレーン空間領域（６２）とを含む。前記フロントプレーン空間領域（６２）は、前記第１のフロントプレーン領域（６１）と、前記第２のフロントプレーン領域（６３）とを空間的に隔てる。前記連続したバックプレーン（７０、７４）は、第１のバックプレーン領域（７１）と、第２のバックプレーン領域（７３）と、相互接続バックプレーン領域とを含む。前記相互接続バックプレーン領域（７３）は、前記第１のバックプレーン領域（７１）と、前記第２のバックプレーン領域（７３）とを電気的に相互接続する。前記第１のフロントプレーン領域（６１）と前記第１のバックプレーン領域（７１）とは、第１のディスプレイ（６１、７１）を構成する。前記第２のフロントプレーン領域（６３）と前記第２のバックプレーン領域（７３）とは、第２のディスプレイ（６３、７３）を構成する。前記相互接続バックプレーン領域（７２）は、前記第２のディスプレイ（６３、７３）を前記第１のディスプレイ（６１、７１）の拡張ディスプレイとして定める。【選択図】図３
2010509633.tif 000002
【特許請求の範囲】
【請求項１】
第１のフロントプレーン領域（６１）と、
第２のフロントプレーン領域（６３）と、
前記第１のフロントプレーン領域（６１）と前記第２のフロントプレーン領域（６３）とを空間的に隔てるフロントプレーン空間領域（６２）とを含む不連続なフロントプレーン（６０，６４）と、
前記第１のフロントプレーン領域（６１）ととともに第１のディスプレイ（６１、７１）を構成する第１のバックプレーン領域（７１）と、
第２のバックプレーン領域（７３）であって、前記第２のフロントプレーン領域（６３）とともに第２のディスプレイ（６３、７３）を構成する第２のバックプレーン領域（７３）と、
前記第２のディスプレイ（６３、７３）を前記第１のディスプレイ（６１、７１）の拡張ディスプレイとして定めるために前記第１のバックプレーン領域（７１）と前記第２のバックプレーン領域（７３）とを電気的に相互接続する相互接続バックプレーン領域（７２）とを含む連続したバックプレーン（７０、７４）とを備えることを特徴とするフレキシブルディスプレイ装置（５０、５１）。
【請求項２】
請求項１に記載のフレキシブルディスプレイ装置（５０、５１）において、
前記不連続なフロントプレーン（６０、６４）は電気泳動フロントプレーン（４０）であって、
前記連続したバックプレーン（７０、７４）はアクティブマトリクスバックプレーン（３０）であることを特徴とするフレキシブルディスプレイ装置（５０、５１）。
【請求項３】
請求項１に記載のフレキシブルディスプレイ装置（５０、５１）において、
前記相互接続バックプレーン（７２）は屈曲されて前記第１のディスプレイ（６１、７１）と前記第２のディスプレイ（６３、７３）とを前記フレキシブルディスプレイ装置（５０、５１）の異なる側に配置することを特徴とするフレキシブルディスプレイ装置（５０、５１）。
【請求項４】
請求項１に記載のフレキシブルディスプレイ装置（５０、５１）において、
前記不連続なフロントプレーン（６０、６４）は、
前記第１のディスプレイ（６１、７１）と前記第２のディスプレイ（６３、７３）とに共有される共通電極（１１２）をさらに含むことを特徴とするフレキシブルディスプレイ装置（５０、５１）。
【請求項５】
請求項１に記載のフレキシブルディスプレイ装置（５０、５１）において、
前記相互接続バックプレーン領域（７２）は、
前記第１のディスプレイ（６１、７１）と前記第２のディスプレイ（６３、７３）とに共有されたロウ電極（９２、９３）を少なくとも１個含むことを特徴とするフレキシブルディスプレイ装置（５０、５１）。
【請求項６】
請求項５に記載のフレキシブルディスプレイ装置（５０、５１）において、
前記第１のディスプレイ（６１、７１）と前記第２のディスプレイ（６３、７３）とが同数の行を有することを特徴とするフレキシブルディスプレイ装置（５０、５１）。
【請求項７】
請求項５に記載のフレキシブルディスプレイ装置（５０、５１）において、
前記第２のディスプレイ（６３、７３）が前記第１のディスプレイ（６１、７１）より少ない数の行を有することを特徴とするフレキシブルディスプレイ装置（５０、５１）。
【請求項８】
請求項５に記載のフレキシブルディスプレイ装置（５０、５１）において、
前記第１のディスプレイ（６１、７１）と前記第２のディスプレイ（６３、７３）とに共有された出力（９１）を少なくとも１個含むロウドライバ（９０）をさらに備えることを特徴とするフレキシブルディスプレイ装置（５０、５１）。
【請求項９】
請求項５に記載のフレキシブルディスプレイ装置（５０、５１）において、
前記相互接続バックプレーン領域（７２）は、前記第１のディスプレイ（６１、７１）と前記第２のディスプレイ（６３、７３）とに共有されたカラム電極（１０７、１０８）を少なくとも１個含むことを特徴とするフレキシブルディスプレイ装置（５０、５１）。
【請求項１０】
請求項９に記載のフレキシブルディスプレイ装置（５０、５１）において、
前記第１のディスプレイ（６１、７１）と前記第２のディスプレイ（６３、７３）とが同数の列を有することを特徴とするフレキシブルディスプレイ装置（５０、５１）。
【請求項１１】
請求項９に記載のフレキシブルディスプレイ装置（５０、５１）において、
前記第２のディスプレイ（６３、７３）が前記第１のディスプレイ（６１、７１）より少ない数の列を有することを特徴とするフレキシブルディスプレイ装置（５０、５１）。
【請求項１２】
請求項９に記載のフレキシブルディスプレイ装置（５０、５１）において、
前記第１のディスプレイ（６１、７１）と前記第２のディスプレイ（６３、７３）とに共有された出力（１０６）を少なくとも１個含むカラムドライバ（１０５）をさらに備えることを特徴とするフレキシブルディスプレイ装置（５０、５１）。
【請求項１３】
請求項１に記載のフレキシブルディスプレイ装置（５０、５１）において、
前記相互接続バックプレーン領域（７２）は、前記第１のディスプレイ（６１、７１）と前記第２のディスプレイ（６３、７３）とに共有されたカラム電極（１０７、１０８）を少なくとも１個含むことを特徴とするフレキシブルディスプレイ装置（５０、５１）。
【請求項１４】
請求項１３に記載のフレキシブルディスプレイ装置（５０、５１）において、
前記第１のディスプレイ（６１、７１）と前記第２のディスプレイ（６３、７３）とが同数の列を有することを特徴とするフレキシブルディスプレイ装置（５０、５１）。
【請求項１５】
請求項１３に記載のフレキシブルディスプレイ装置（５０、５１）において、
前記第２のディスプレイ（６３、７３）が前記第１のディスプレイ（６１、７１）より少ない数の列を有することを特徴とするフレキシブルディスプレイ装置（５０、５１）。
【請求項１６】
請求項１３に記載のフレキシブルディスプレイ装置（５０、５１）において、
前記第１のディスプレイ（６１、７１）と前記第２のディスプレイ（６３、７３）とに共有された出力（１０６）を少なくとも１個含むカラムドライバ（１０５）をさらに備えることを特徴とするフレキシブルディスプレイ装置（５０、５１）。
【請求項１７】
請求項１に記載のフレキシブルディスプレイ装置（５０、５１）において、
前記第１のディスプレイ（６１、７１）の少なくとも１行が、前記第２のディスプレイ（６３、７３）の少なくとも１行を含むように制御するために動作する制御装置（８０）をさらに備えることを特徴とするフレキシブルディスプレイ装置（５０、５１）。
【請求項１８】
請求項１に記載のフレキシブルディスプレイ装置（５０、５１）において、
前記第１のディスプレイ（６１、７１）の少なくとも１列が、前記第２のディスプレイ（６３、７３）の少なくとも１列を含むように制御するために動作する制御装置（８０）をさらに備えることを特徴とするフレキシブルディスプレイ装置（５０、５１）。
【請求項１９】
請求項１に記載のフレキシブルディスプレイ装置（５０、５１）において、
不連続なフロントプレーン（６０、６４）は、
第３のフロントプレーン領域（６６）と、
前記第２のフロントプレーン領域（６３）と前記第３のフロントプレーン領域（６６）とを空間的に隔てる追加のフロントプレーン空間領域（６５）とをさらに含み、
連続したバックプレーン領域（７０、７４）は、
前記第３のフロントプレーン領域（６６）とともに第３のディスプレイ（６６、７６）を構成する第３のバックプレーン領域（７６）と、
前記第３のディスプレイ（６６、７６）を前記第１のディスプレイ（６１、７１）拡張ディスプレイとして定めるために、前記第２のバックプレーン領域（７３）と前記第３のバックプレーン領域（７６）とを電気的に相互接続する追加の相互接続バックプレーン領域（７５）とをさらに含むことを特徴とするフレキシブルディスプレイ装置（５０、５１）。
【請求項２０】
フレキシブルディスプレイ装置（１５２）と、
スティック（１５１）とを備え、
前記フレキシブルディスプレイ装置（１５２）は、第１のフロントプレーン領域（６１）、第２のフロントプレーン領域（６３）、および前記第１のフロントプレーン領域（６１）と前記第２のフロントプレーン領域（６３）とを空間的に隔てるフロントプレーン空間領域（６２）を含む不連続なフロントプレーン（６０，６４）と、
前記第１のフロントプレーン領域（６１）とともに第１のディスプレイ（１５３）を構成する第１のバックプレーン領域（７１）、前記第２のフロントプレーン領域（６３）とともに第２のディスプレイ（１５４）を構成する第２のバックプレーン領域（７３）、および前記第２のディスプレイ（１５４）を前記第１のディスプレイ（１５３）の拡張ディスプレイとして定めるために、前記第１のバックプレーン領域（７１）と前記第２のバックプレーン領域（７３）とを電気的に相互接続する相互接続バックプレーン（７２）を含む連続したバックプレーン（７０、７４）とを含み、
前記スティック（１５１）において、前記フレキシブルディスプレイ装置１５２は、第１のディスプレイの格納と第２のディスプレイの視認とを可能にするために前記スティック（１５１）に巻き付けられ、かつ第１のディスプレイ（１５３）の動作を可能にするために前記スティック（１５１）から展開されるように構成されることを特徴とする巻き取りディスプレイ装置（１５０）。
【請求項２１】
請求項２０に記載の巻き取りディスプレイ装置（１５０）において、
前記第２のフロントプレーン領域（６３）が、巻き付けられた状態での前記装置の動作の制御を可能にするキー（１５６）を備えることを特徴とする巻き取りディスプレイ装置（１５０）。
【請求項２２】
少なくとも２つのディスプレイ（７１、７３、７６）を形成するように構成された不連続なフロントプレーン（６４）および連続したバックプレーン（７４）を備え、
前記少なくとも２つのディスプレイ（７１、７３、７６）は前記不連続なフロントプレーンにより空間的に隔てられ、かつ前記連続したバックプレーンにより、少なくとも部分的には電気的に相互接続されることを特徴とするフレキシブルディスプレイ装置（５０、５１）。
【発明の詳細な説明】
【技術分野】
【０００１】
本発明は一般にフレキシブルディスプレイ装置に関する。本発明は特に第２のディスプレイを第１のディスプレイに一体化して組み込むフレキシブルディスプレイ装置に関する。
【背景技術】
【０００２】
図１はポリマービジョン社（Polymer Vision Ltd.）の開発したフレキシブルディスプレイ２０である。フレキシブルディスプレイ２０は基板３１とアクティブマトリックス３２から成るアクティブマトリックスのバックプレーン３０を持っている。フレキシブルディスプレイ２０は更に電気泳動フロントプレーン４０、接着剤４１、電気泳動層４２（例えばE InkまたはSiPixなどのサプライヤから入手できる）、共通電極４３と基板４４を持っている。
【発明の概要】
【発明が解決しようとする課題】
【０００３】
フレキシブルディスプレイ２０の使用方法の１つは巻き取りディスプレイ装置でフレキシブルディスプレイがスティック（すなわち円形、楕円形、角の丸い四角形、角の丸い正方形または他の適当な曲線の断面を持つチューブ構造の軸体）の周りに巻き付けられて、フレキシブルディスプレイ２０の格納を可能にし、スティックから展開してフレキシブルディスプレイ２０を動作可能とする。現状ではこのように巻き取ったディスプレイ装置では、格納保護の目的のためにフレキシブルディスプレイ２０をスティックに巻き取ると、プレビュー表示ができない。
【課題を解決するための手段】
【０００４】
本発明は、不連続なフロントプレーンと連続したバックプレーンを採用した、フレキシブルディスプレイの新しくユニークな構造を提供する。不連続なフロントプレーンは第１のフロントプレーン領域と、第２のフロントプレーン領域と、第１のフロントプレーンと第２のフロントプレーンとを空間的に隔てるフロントプレーン空間領域とを含んでいる。連続したバックプレーンは第１のバックプレーン領域と、第２のバックプレーン領域と、第１のバックプレーン領域と第２のバックプレーン領域とを電気的に相互接続する相互接続領域とを含んでいる。第１のフロントプレーン領域と第１のバックプレーン領域とは第１のディスプレイを構成する。第２のフロントプレーン領域と第２のバックプレーン領域とは第２のディスプレイを構成する。相互接続領域は第２のディスプレイを第１のディスプレイの拡張ディスプレイとして定める(define)。
【０００５】
スティックへのフレキシブルディスプレイ装置の巻き付けは第１のディスプレイの格納と第２のディスプレイの視認を可能にする。スティックからのフレキシブルディスプレイ装置の展開は第１のディスプレイの動作を可能とする。
【０００６】
前述の形状は他の特徴および本発明の利点と合わせ、更に以下の本発明および付随する図面での種々の実施例の詳細な説明から明確となる。詳細な説明と図面は単に本発明の実施例であり、添付した請求項とこの均等物で定義される本発明の範囲を限定するものでない。
【図面の簡単な説明】
【０００７】
【図１】図１は、従来知られているフレキシブルディスプレイの側面図を示す。
【図２】図２は、従来知られているアクティブマトリクスのピクセルの回路図を示す。
【図３】図３は、本発明に従った第１の実施の形態のフレキシブルディスプレイ装置の側面図を示す。
【図４】図４は、本発明に従った電極の相互接続回路例を示す。
【図５】図５は、本発明に従った電極の相互接続回路例を示す。
【図６】図６は、図３で示す本発明に従ったフレキシブルディスプレイ装置の第１の実施例の上面図を示す。
【図７】図７は、図３で示す本発明に従ったフレキシブルディスプレイ装置の第１の実施例の側面図を示す。
【図８】図８は、図３で示す本発明に従ったフレキシブルディスプレイ装置の第２の実施例の上面図を示す。
【図９】図９は、図３で示す本発明に従ったフレキシブルディスプレイ装置の第２の実施例の側面図を示す。
【図１０】図１０は、図３で示す本発明に従ったフレキシブルディスプレイ装置の第３の実施例の上面図を示す。
【図１１】図１１は、図３で示す本発明に従ったフレキシブルディスプレイ装置の第３の実施例の側面図を示す。
【図１２】図１２は、本発明に従った第２の実施の形態のフレキシブルディスプレイ装置の側面図を示す。
【図１３】図１３は、本発明に従った図１２で示すフレキシブルディスプレイ装置の実施例の上面図を示す。
【図１４】図１４は、本発明に従った図１２で示すフレキシブルディスプレイ装置の実施例の側面図を示す。
【図１５】図１５は、本発明に従った一実施の形態の巻き取りディスプレイ装置の透視図を示す。
【図１６】図１６は、本発明に従った一実施の形態の巻き取りディスプレイ装置の透視図を示す。
【図１７】図１７は、本発明に従った図１５および図１６で示す巻き取りディスプレイ装置の側面図を示す。
【図１８】図１８は、本発明に従った図１５および図１６で示す巻き取りディスプレイ装置の側面図を示す。
【発明を実施するための形態】
【０００８】
本発明の１つの発明原理は、フレキシブルディスプレイ装置を不連続なフロントプレーンと連続したバックプレーンとで構成することであり、第２のディスプレイは第１のディスプレイの拡張ディスプレイとして設けられる（例えば第２のディスプレイは第１のディスプレイのプレビュー画面として機能する）というものである。本発明においては、「不連続なフロントプレーン（discontinuous frontplane）」という用語は、第１のディスプレイという表示媒体(viewing mediums)および第２のディスプレイという表示媒体とを提供することを目的として、ディスプレイのフロントプレーンを二つ（２）以上の領域に空間的に隔てさせるような任意のディスプレイフロントプレーンとして広く定義されており、そして「連続したバックプレーン（continuous backplane）」という用語は、第１のディスプレイという表示媒体と第２のディスプレイという表示媒体とを部分的または全体的に相互制御するため、ディスプレイのバックプレーンの二つ（２）以上の領域を電気的に相互接続するような任意のディスプレイバックプレーンとして広く定義されている。
【０００９】
本発明は、本発明の材料構成と不連続なフロントプレーンと連続したバックプレーンの構造形態に限定または制限するものではない。実際、本発明の不連続なフロントプレーンと連続したバックプレーンの実装仕様は本発明の商用化の実装次第であり、従って制限はない。そこで、以下の図３の説明は上記の本発明の発明原理を組み込んだフレキシブルディスプレイ装置の１つの実施例を示す。
【００１０】
図３は、フロントプレーンの空間領域６２で分けられている第１のフロントプレーン領域６１と第２のフロントプレーン領域６３とからなる不連続フロントプレーン６０と、相互接続バックプレーン（interconnection backplane）（「ＩＣＮＢＰ」）領域７２で電気的に相互接続された第１のバックプレーン領域７１と第２のバックプレーン領域７３とからなる連続バックプレーン７０とを用いたフレキシブルディスプレイ装置５０を示す。当業者に理解されるように、第１のフロントプレーン領域６１と第１のバックプレーン領域７１とは、ピクセル行数ＸＰ、でピクセル列数ＹＰの第１のディスプレイを構成し、第２のフロントプレーン領域６３と第２のフロントプレーン領域７３とは、ピクセル行数ＸＳでピクセル列数ＹＳの第２のディスプレイを構成する。ここで、ＸＰ＞＝ＸＳおよび／またはＹＰ＞＝ＹＳである。
【００１１】
ＩＣＮＢＰ領域はバックプレーン領域７１と７３を電気的に接続して、第１のディスプレイと第２のディスプレイを部分的または全体的に相互制御し、これにより第２のディスプレイは第１のディスプレイの拡張ディスプレイとして定まる。ＩＣＮＢＰ領域７２の更なる理解のために、ＩＣＮＢＰ領域７２の例示的説明を以下のアクティブマトリクスのアドレシング方式に基づいて説明する。
【００１２】
特に、図２はアクティブマトリックスディスプレイのピクセルの等価的な回路を示す。示されているように、この回路は薄膜トランジスタのソースＳがカラム電極ＣＬＥに電気的に接続され、薄膜トランジスタのゲートＧがロウ電極ＲＷＥに電気的に接続され、薄膜トランジスタのドレインＤが蓄積キャパシタＣｓｔと基本キャパシタＣＤＥと寄生キャパシタＣｇｄとに電気的に接続され、蓄積キャパシタＣｓｔは更に蓄積キャパシタ線ＳＣＬに電気的に接続され、基本キャパシタＣＤＥは更に共通電極ＣＭＥに電気的に接続され、寄生キャパシタＣｇｄは薄膜トランジスタのゲートＧとドレインＤの間に形成されている。ピクセルのフレーム時間を選択するということは、ロウ電極ＲＷＥおよびカラム電極ＣＬＥに選択電圧を印加するということにもなる。この選択電圧の印加は薄膜トランジスタを非導通状態から導通状態に遷移させ、それによりキャパシタはカラム電極ＣＬＥに印加された表示電圧まで充電される。その後の該フレームのホールド時間の間、該薄膜トランジスタは非導通状態へ戻り、該キャパシタは該薄膜トランジスタの電荷を維持する。
【００１３】
更に図３に関連して、ＩＣＮＢＰ領域７２は、この場合、第１のディスプレイと第２のディスプレイとが、部分的もしくは全体的に、ロウ電極ＲＷＥおよび／またはカラム電極ＣＬＥを共有することを可能にしている。ロウ電極ＲＷＥおよび／またはカラム電極ＣＬＥは、他の電極等と同様に、不連続フロントプレーンの共通電極、電源線やクロック線を、これに限るわけではないが、含む。例えば、図４に示すように、制御装置８０はロウドライバ９０とカラムドライバ１００を制御し、第１のディスプレイ１１０のピクセルをロウドライバ９０の出力９１に接続するロウ電極９２により、および第１のディスプレイ１１０のピクセルをカラムドライバ１００の出力１０１に接続するカラム電極により、第１のディスプレイ１１０のピクセルを駆動する。ＩＣＮＢＰ領域７２（不図示）はロウ電極９２の延長電極としてロウ電極９３をサポートし、これにより、第２のディスプレイ１１１のピクセルは出力９１に接続されてロウドライバ９０により共通に駆動される。反対に、ＩＣＮＢＰ領域７２は、更にカラム電極１０３と異なるカラム電極１０４をサポートし、これにより、第２のディスプレイ１１１のピクセルがカラムドライバ１００の出力１０２に接続されてカラムドライバ１００により別々に駆動される。
【００１４】
一方、図５に示すように、制御装置８０はロウドライバ９４とカラムドライバ１０５を制御し、第１のディスプレイ１１０のピクセルをロウドライバ９４の出力９６に接続するロウ電極９７により、および第１のディスプレイ１１０のピクセルをカラムドライバ１０５の出力１０６に接続するカラム電極１０７により、第１のディスプレイ１１０のピクセルを駆動する。ＩＣＮＢＰ領域７２（不図示）はカラム電極１０７の延長電極としてカラム電極１０８をサポートし、これにより、第２のディスプレイ１１１のピクセルは出力１０６に接続されてカラムドライバ１０５により共通に駆動される。反対に、ＩＣＮＢＰ領域７２は、更にロウ電極９７と異なるロウ電極９８を含み、これにより、第２のディスプレイ１１１のピクセルがロウドライバ９４の出力９５に接続されてロウドライバ９４により別々に駆動される。
【００１５】
実際、ＸＥ個のロウ電極とＹＥ個のカラム電極は第１のディスプレイと第２のディスプレイの間で本発明のＩＣＮＢＰ領域を介して共用することができる。ここでＸＥ＞＝０、ＹＥ＞＝０である。同時または択一的に、ＩＣＮＢＰ領域７２は、例えば電源線やクロック線などの、他の電気的な相互接続をサポートできる。このように、ロウ電極とカラム電極とは、他の電気的相互接続と同様、第１のディスプレイと第２のディスプレイで共用されており、その度合いは、ドライバ、制御装置および他の集積回路素子もが第１のディスプレイと第２のディスプレイに共用されている度合いの決定的要因である。
【００１６】
現実的には、実際のロウ電極の数ＸＥ個と実際のカラム電極の数ＹＥ個は、これらが本発明のＩＣＮＢＰ領域を介して、第１のディスプレイと第２のディスプレイにより共有され、フレキシブルディスプレイ装置の使用目的に依存するので、特に制限はない。１つの実施例では、第２のディスプレイは第１のディスプレイのプレビュー画面として機能するので、一部のロウ電極と一部のカラム電極が第１のディスプレイと第２のディスプレイとの間で共有される。これは、共有の制御装置による制御で、第２の画面に第１のディスプレイの選択された一部分を表示することを可能とする。他の実施例として、第２のディスプレイが、第１のディスプレイと第２のディスプレイとに共有されるロウ電極の一部または全部に基づいた、あるいは第１のディスプレイと第２のディスプレイとに共有されるカラム電極の一部または全部に基づいた、独自のコンテンツ表示ディスプレイとして機能する。更に他の実施例では、第２のディスプレイが第１のディスプレイの正確な複製として機能する。この場合、全てのロウ電極とカラム電極とが第１のディスプレイと第２のディスプレイとの間で共有される。これは３６０°の視野角を持つディスプレイ装置の製造を可能にする。
【００１７】
再度図３に関連して、ＩＣＮＢＰ領域７２のフレキシブルな特性はＩＣＮＢＰ領域７２の屈曲を可能にし、これにより第１のディスプレイと第２のディスプレイはフレキシブルディスプレイ装置５０の異なる側に配置することが可能となる。例えば、図３に示すようなフレキシブルディスプレイ装置５０の対向する側に設置することができる。実際、ＩＣＮＢＰ領域７２が曲げられるかどうかの度合いはフレキシブルディスプレイ装置の使用目的に依存しており、特に制限は無い。
【００１８】
本発明の更なる理解のため、三つ（３）のフレキシブルディスプレイ装置５０の実施例の説明を以下に示す。
【００１９】
図６と７は第１の実施例で、第１のフロントプレーンの電気泳動領域（Ｅ領域）１３０と第１のアクティブマトリクスバックプレーン領域１４０が第１のディスプレイを構成し、第２のフロントプレーンＥ領域１３２と第２のアクティブマトリクスバックプレーン１４２が第２のディスプレイを構成する。制御装置１２０、ロウドライバ１２１とカラムドライバ１２２はロウ／カラム電極をサポートするバックプレーンの集積回路部分１４３に配置される。ここで相互接続バックプレーン領域１４１は、第２のディスプレイを第１のディスプレイに電気的に相互接続するために、共有のロウ／カラム電極を、共有されていないロウ／カラム電極と同様にサポートする。
【００２０】
オプションとして、第１のディスプレイと第２のディスプレイとは、図７に示すようにフロントプレーンの空間領域１３１を渡る共通電極１３３を共有することができる。あるいはこの代替として、共通電極がバックプレーンを渡って第１のディスプレイと第２のディスプレイ双方に接続するのも可能である。
【００２１】
さらに他の場合は、相互接続バックプレーン領域１４１と第２のフロントプレーン領域１３２の幅が第１のフロントプレーン領域１３０と異なり、例えば領域１４１と領域１３２の幅が領域１３０の幅より小さい。
【００２２】
図８と９は、相互接続バックプレーン領域１４１に制御装置１２０、ロウドライバ１２１とカラムドライバ１２２が配置された第１のフロントプレーンを有する第２の実施例を示す。この実施例では集積回路バックプレーン領域１４３は相互接続バックプレーン領域１４１と結合されている。
【００２３】
図１０と１１は第３の実施例を示しており、第１のディスプレイの長さが減少し、第１のディスプレイの幅が増加している。このようにすると図示されるように第１のディスプレイと異なる側に第２のディスプレイを拡張することがやり易くなる。
【００２４】
本発明の第２の発明原理は、フレキシブルディスプレイ装置を不連続フロントプレーンと連続バックプレーンとで構成することであり、第３のディスプレイは第１のディスプレイの更なる拡張ディスプレイとして設けられるというものである。実際には第３のディスプレイは図３から分かるように第１のディスプレイから直接的に拡張することができ、また図１２に示すように第１のディスプレイから間接的に拡張することができる。
【００２５】
具体的には、フレキシブルディスプレイ５１は、更に、フロントプレーンの空間領域６５で第２のフロントプレーン領域６３から隔てられた第３のフロントプレーン領域６６をさらに含む不連続フロントプレーン６４と、相互接続バックプレーン領域７５で第２のバックプレーン領域７３に電気的に接続された第３のバックプレーン領域７６をさらに含む連続バックプレーン７４とを有する。フレキシブルディスプレイ装置５１の実施例を、図６と７に示すフレキシブルディスプレイ装置の変形例として、図１３と１４に示す。この変形例では第３のフロントプレーン領域１３５は空間的に第２のフロントプレーン領域１３２から隔てられ、かつ第３のフロントプレーン領域１３５と第３のバックプレーン領域１４５は第３のディスプレイを構成する。この第３のディスプレイは相互接続バックプレーン領域１４４を介して第１のディスプレイを更に拡張したものである。
【００２６】
本発明の第３の発明原理は、フレキシブルディスプレイ装置を不連続フロントプレーンと連続バックプレーンとで構成することであり、これにより、追加のディスプレイが第１のディスプレイを更なる拡張ディスプレイとして設けられるというものである。
【００２７】
本発明の第４の発明原理は、フレキシブルディスプレイ装置を不連続フロントプレーンと連続バックプレーンとで構成することであり、これにより、第１のディスプレイ装置はスタンドアローンのディスプレイとして設けられ、ロウ電極および／またはカラム電極を、共通電極、電源線、クロック線に限られるわけではないがこれらを含む他の電極等と同様に共有する２つ以上の追加のディスプレイが設けられる。
【００２８】
実際には、本発明のフレキシブルディスプレイ装置は、携帯電話、個人情報端末等（これらに限定しない）のどのような装置または機器に組み込んで使用できる。図１５−１８はスティック１５１とフレキシブルディスプレイフォイル１５２を持つ巻き取りディスプレイ装置１５０を示す。図１８で最も適切に示すように、フレキシブルディスプレイフォイル１５２に本発明のフレキシブルディスプレイ装置が含まれている。これにより、スティック１５１のまわりにフォイル１５２を巻くことが、第１のディスプレイ１５３の格納と第２のディスプレイ１５４の視認とを可能にし、図１６で最も適切に示すように、スティック１５１のまわりに巻いた(wrapping)フォイル１５２をスティック１５１から展開すること(unwrapping)がキーパッド１５５を介しての第１のディスプレイ１５３の操作を可能にしている。キー１５６は、好ましくは第２のディスプレイ１５４と連動して、巻いた状態でその装置の操作の制御が可能となるよう、フォイル(foil)１５２に設けられている。
【００２９】
他の形態として、第２のディスプレイ１５４もまた、フォイル１５２のどこかに配置することができる。例えば、フォイル１５２の一端(opposite end)であってキーパッド１５５に隣接して配置することができる。更に、第２のディスプレイ１５４は、第１のディスプレイ１５３のキーパッド１５５への電気的接続の一部または全部を共有することができる。またはこの代替として、第２のディスプレイ１５４はキーパッド１５５または他の適当な入力機構（不図示）への個別の接続を有することができる。
【００３０】
図２−１８を参照し、当業者は本発明の多くの利点と利益を理解するであろう。これらの利点と利益には、以下の内容に限定されるわけではないが、フレキシブルディスプレイ装置に軽微な厚みおよび／または幅を追加することで、第１のディスプレイの拡張ディスプレイとして１個以上の追加のディスプレイを一体化した低コストのフレキシブルディスプレイ装置が含まれる。当業者は更に、第１のディスプレイと第１のディスプレイの拡張ディスプレイとしての１つ以上の追加のディスプレイとに適用されるといったような本発明の発明原理を、どのようなタイプのフロントプレーン（例えば図１に示す電気泳動フロントプレーン）や、どのようなタイプのバックプレーン（例えば図１に示すアクティブマトリクスバックプレーン）、そしてどのようなタイプの装置や機器（例えば巻き取りディスプレイ装置）への組み込み、に対してどのように適用するかについて理解するであろう。
【００３１】
ここで開示された本発明の実施形態は現在のところ好ましい実施形態と考えられるが、本発明の趣旨および範囲から逸脱することなく種々の変更や改変が可能である。本発明の範囲は添付した請求項に表されており、均等物の意味と範囲内に含まれる全ての変更は本発明の範囲に包含されるものとする。
【図１】
2010509633.tif 000003
【図２】
2010509633.tif 000004
【図３】
2010509633.tif 000005
【図４】
2010509633.tif 000006
【図５】
2010509633.tif 000007
【図６】
2010509633.tif 000008
【図７】
2010509633.tif 000009
【図８】
2010509633.tif 000010
【図９】
2010509633.tif 000011
【図１０】
2010509633.tif 000012
【図１１】
2010509633.tif 000013
【図１２】
2010509633.tif 000014
【図１３】
2010509633.tif 000015
【図１４】
2010509633.tif 000016
【図１５】
2010509633.tif 000017
【図１６】
2010509633.tif 000018
【図１７】
2010509633.tif 000019
【図１８】
2010509633.tif 000020
【国際調査報告】
2010509633.tif 000021
2010509633.tif 000022
2010509633.tif 000023